(57)【特許請求の範囲】
【請求項１】
浅い浴槽と、浴槽頭部側に洗髪用凹部及び排水部を設けた枕槽とを備え、前記枕槽を、前記浴槽に連続形成すると共に、境界部分を中心にして下方への回動自在構造に形成し、下方回動時に洗髪用凹部が構成されるようにしてなることを特徴とする介護用浴槽装置。
【請求項２】
浅い浴槽と、浴槽頭部側に洗髪用凹部を設けた枕槽とを備え、前記枕槽を、前記浴槽と独立に形成すると共に、枕槽を回動起立させると、洗髪用凹部が受け容器として構成されるようにしてなることを特徴とする介護用浴槽装置。
【請求項３】
枕槽に浴槽縁部と対応する枕体を着脱自在に設けてなる請求項１又は２記載の介護用浴槽装置。
【請求項４】
頭部を除いた人型形状の浅い浴槽における浴槽内足側に、位置調整可能な足当て部を設けると共に、浴槽内の股対応位置に位置調整可能な股支持部を突設してなる請求項１乃至３記載のいずれかの介護用浴槽装置。
【請求項５】
浴槽内の足方端付近に排水用凹底部を形成すると共に、浴槽の中心線に沿う嵌合凹溝を前記排水凹部に連続させて形成し、表面に適宜間隔で連結穴部を穿設した細長台板を前記凹溝に嵌合し、足板部及び股支持部を構成する部材の底面に前記連結穴部に挿着する突部を設けてなる請求項４記載の介護用浴槽装置。
【請求項６】
浴槽内に肘掛台部を形成する際に、前記肘掛台部の一部を、浴槽と一体に形成された受け部に着脱自在に設けた台板で構成し、前記台板の表面に持ち手を着脱自在に装着してなる請求項５記載の介護用浴槽装置。
【請求項７】
浴槽または浴槽と枕槽の双方を支持すると共に、移動機構部並びに浴槽上下位置調整機構部を備え支持装置に組み込んだ請求項１乃至６記載の何れかの介護用浴槽装置。
【発明の詳細な説明】
【０００１】
【産業上の利用分野】
本発明は、介護用浴槽装置及び同システムに関するものである。
【０００２】
【従来技術及び発明が解決しようとする課題】
寝たきりの被介護者に対しての入浴は、被介護者を浴室まで適宜な移動装置を使用したり、介助人が抱きかかえて移動して行っていたが、被介護者の移動が大変なので、被介護者のベッド脇まで移動可能な浴槽を使用したり（実開昭５７−１３０２８号公報）、ベッドに浴槽を付随させたりして（実公平８−７８５４号公報）、被介護者の移動を無くする入浴が提案されている。
【０００３】
ところで、前記の被介護者用の浴槽は浅い浴槽になっており、被介護者が寝た状態で、介助人が被介護者の身体を洗うようしている。然し被介護者が動けない状態では、被介護者自身が自己の身体を支持することができないので、介助人が被介護者の身体を支えながらの洗浄作業を行わなければならなく、面倒である。
【０００４】
また当該入浴時に被介護者の洗髪を行おうとした場合には、浴槽内での洗髪となり、洗髪後に身体洗浄を行う場合には、被介護者の髪が汚れないように注意しなければならないし、身体洗浄後に洗髪を行うと、洗髪汚水でせっかく清浄とした被介護者の身体を汚すことになる。
【０００５】
そこで本発明は、被介護者の入浴が効率良く実施できる新規な浴槽装置を提案したものである。
【０００６】
【課題を解決する手段】
本発明の請求項１に係る介護用浴槽装置は、浅い浴槽と、浴槽頭部側に洗髪用凹部及び排水部を設けた枕槽とを備え、前記枕槽を、前記浴槽に連続形成すると共に、境界部分を中心にして下方への回動自在構造に形成し、下方回動時に洗髪用凹部が構成されるようにしてなることを特徴とするものである。
【０００７】
而して被介護者が浴槽内に横たわり、介助人が被介護者の身体を洗浄するもので、頭部が浴槽外の枕槽に位置し、しかも枕槽の上方回動で枕槽自体が頭部の載置部となり、下方回動で全体を洗髪用凹部として、浴槽部分から独立して洗髪を行うことができる。
【０００８】
本発明の請求項２に係る浴槽装置は、浅い浴槽と、浴槽頭部側に洗髪用凹部を設けた枕槽とを備え、前記枕槽を、前記浴槽と独立に形成すると共に、枕槽を回動起立させると、洗髪用凹部が受け容器として構成されるようにしてなることを特徴とするものである。
【０００９】
従って請求項１の介護用浴槽と同様に、介助人が浴槽内に横たわった被介護者を洗浄するもので、頭部は浴槽外に位置し、使用状態（起立時）においては浴槽と並んで槽としての可能な状態となって洗髪を行い、非使用時（倒伏時）には、垂下状態でコンパクト化される。
【００１０】
【実施の形態】
＜第一実施形態＞ 図１乃至図３は、本発明の第一実施形態を示したもので、この浴槽装置は、浴槽１と枕槽２と、支持装置３とで構成される。
【００１１】
浴槽１は、浴槽形状が頭部を除いた人型形状で、浴槽足側に足当て機構部１１を設け、浴槽１内の股対応位置に仕切部１２を突設してなり、外周部分には、外周縁を立ち上げたフランジ部１３を設け、浴槽内側面部分に手すり１４を付設してなるものである。
【００１２】
足当て機構部１１は、浴槽１内に設けた足当て板１１１を位置調整自在に組み込むと共に、前記位置調整を行う操作部１１２を設けてなる。またフランジ部１３は、足下の方が低く、肩部側を若干高くし、後述する枕槽２側へのお湯のこぼれを無くしている。
【００１３】
枕槽２は、浴槽１の頭部側に連結して一体とするものであるが、特に連結構造を蝶結構造として、軸２１を中心に上下に回動可能に設けてなる。更に枕槽２は、底面全体を「くの字状」に形成し、側壁を設けることで軸２１を中心とした回動で洗髪用凹部が形成されるようにし、後述する支持機構にて連結した操作機構２２で前記枕槽２の回動動作を制御する。勿論浴槽１にも枕槽２にも排水部１５，２３を付設してなる。更に必要に応じて浴槽１と枕槽２との当接部分にパッキンを設けて、より以上の水密性を確保するようにしても良い。
【００１４】
支持機構部３は、前記浴槽１及び枕槽２を支持する枠状体で、下方に車輪３１などの移動機構を組み込み、且つ浴槽１及び枕槽２全体を上下させる適宜な上下位置調整機構部（図示せず）を設けてなる。
【００１５】
而して前記浴槽装置は、被介護者Ａが寝ている介護ベッドＢのそばに移動させ、被介護者Ａを入浴させるものである。入浴に必要な温水並びに排水は、予め当該介護ベッドＢに隣接して給湯排水設備を備えておくと便利であるが、当該設備を備えていない場合でも、適宜給湯タンクや排水タンクを備えることで対応できる。勿論必要に応じてシャワーとしても良い。
【００１６】
被介護者Ａの入浴に際しては、被介護者を浴槽１内に移して横たえると共に、被介護者Ａの股の間に仕切部１２が存在する様にし、更に浴槽１内の足当て板１１１を被介護者Ａの身長と合わせて、被介護者Ａの頭部Ｃが浴槽１よりはみ出すようにする。枕槽２は予め底部が枕として作用するように上方に回動させておき、浴槽１よりはみ出した頭部Ｃを載置する。
【００１７】
従って被介護者Ａは、人型の浴槽１内に安定した状態で且つ頭部を浴槽外に位置させて横たわるので、介助人は、被介護者Ａの身体の洗浄を容易に行えるものである。
【００１８】
更に洗髪時には、枕槽２を下方に回動させて、全体を洗髪用凹部にすることで、浴槽１部分から独立して洗髪を行うことができるものである。
【００１９】
尚前記実施形態において、前記足当て機構部１１の位置調整機構に代えて、足当て板の後方に設けた足当て板進出機構を備えることによっても実現できるし、また枕槽２の回動構造並びにその動作構造、更には支持機構の浴槽上下構造等の具体的手段は、当該作用が発揮される構造であれば任意に定められるものである。
【００２０】
＜第二実施形態＞ 図４乃至図６は、本発明の第二実施形態を示したもので、この浴槽装置も第一実施形態と同様に浴槽１ａと枕槽２ａと、支持装置３ａとで構成されるが、特に浴槽１の足当て機構部１１ａと仕切部１２ａを変更したもので、他は第一実施形態と同様な構成並びに作用を備えてなる。
【００２１】
足当て機構部１１ａは、浴槽１の足方左右側面に前後所定間隔で多数の嵌合縦溝１１３を形成し、足当て板１１４を前記嵌合縦溝１１３に選択的に嵌合装着することで、所望の位置に足当て板１１４を配置できるようにしたものである。
【００２２】
また仕切部１２ａは、浴槽１の所定位置（股対応箇所）に浅い装着溝１２１を設けると共に、装着溝１２１の側壁に前後所定間隔で多数の嵌合縦溝１２２を形成し、他方仕切部１２と対応する仕切板１２３を別形成し、且つ仕切板１２３の下方に嵌合縦溝１２２と対応する嵌合凹凸側面１２４を設けてなる。
【００２３】
従って仕切板１２３を装着溝１２１に装着するに際して、装着位置の選択が可能となるものであるから、前記の足当て板１１４の位置選択装着と相まって、非介護者の体型に対応した浴槽を提供できる。而も機械的動作部分を必要としない構造であるので、故障などの虞が無く保守管理が容易になる利点も備えている。
【００２４】
＜第三実施形態＞ 図７乃至図１０は、本発明の第三実施形態を示したもので、この浴槽装置及び浴槽システムは、浴槽４と、枕槽５と、支持機構部６と、建物内に設けた給排水配管７とで構成される。
【００２５】
浴槽４は、浴槽本体４１と、細長台板４２と、足当板（足当て部）４３と、股支持体（股支持部）４４と、肘掛け台部の一部を構成する台板４５と、持ち手４６と、給排水部４７とを備えてなる。
【００２６】
浴槽本体４１は、前記の各実施形態と同様に人型に似た形状で、被介護者（入浴者）が寝そべった状態で入浴できる浅さに形成したもので、足方端付近に排水用凹底部４１１を形成すると共に、浴槽の中心線に沿う嵌合凹溝４１２を前記排水用凹底部４１１に連続させて形成してなる。更に肘対応部分に、入浴者の腕が載置できる肘掛け台部４１３を形成すると共に、台板４５を着脱できる受け部４１４を形成してなる。特に受け部４１４の形状は、底面から浴槽本体底面に浴湯が流れ落ちるようにし、且つ装着した台板４５が、持ち手４６を手前に引いた際の煽り方向で離脱しない形状に形成しておく。
【００２７】
また浴槽本体４１の上縁両側には、着脱自在とし、且つ装着時に装着境界からの濾水が無いようにした横堤体４１５を設け、頭側端縁には、足側及び両側の上端面より低い底部を備えた凹状部に形成したオーバーフロー部４１６を設けてなる。尚頭側端縁は、入浴者の肩位置と対応する前記オーバーフロー部４１６の間に、入浴者の頸部と対応する凹部４１７も設けてある。
【００２８】
細長台板４２は、前記嵌合凹溝４１２に嵌合され、その上面が浴槽の底面と合致する大きさで、表面に適宜間隔で連結穴部４２１，４２２を穿設する。特に足側の連結穴部４２１は、足当板４３の取付位置調整の為のものであり、頭側の連結穴部４２２は、股支持体４４の取付位置調整の為のもので、各々所定の前後間隔で設けてなる。
【００２９】
足当板４３は、浴槽の入浴槽の幅及び高さ一杯の大きさであり、股支持体４４は、適宜な厚みを備えたもので、両者の底面には、前記連結穴部４２１，４２２に挿着する突部４３１，４４１を設けてなる。尚連結穴部４２１，４２２と突部４３１，４４１は、対応する複数個を設けるか、又は非円形とする等して装着時にガタツキや捻れが生じないようにしておく。
【００３０】
台板４５は、前記したとおり受け部４１４に嵌合装着されるもので、上面に持ち手４６を連結する穴部を設け、持ち手４６は底面に前記穴部に装着される突部を設けてなる。
【００３１】
浴槽本体４１に付設した給排水部４７は、給湯用として浴槽本体４１の足側に設けた湯出口４７１と、足側の第一シャワー４７２と、頭側の第二シャワー４７３とを備え、排水用として排水用凹底部４１１に排水口４７４を設けたものである。
【００３２】
給湯用の制御手段は、足側に湯出口４７１と第一シャワー４７２の選択切替開閉弁４７５と温度調整弁４７６を設け、頭側に第二シャワー４７３の開閉弁４７７と温度調整弁４７８を設けてなる。
【００３３】
枕槽５は、手適宜な大きさの容器形状であって、浴槽３とは別に独立して形成したもので、使用状態（起立時）においては浴槽４と並んで槽としての可能な状態となり、非使用時（倒伏時）には、垂下状態でコンパクト化されるように、浴槽４の頭側下方で枢結してなり。少なくとも起立時には、当該状態で固定できるようにしてなる。また使用時の槽最下位置に排水口５１を設けてなる。
【００３４】
また起立時には、枕槽５の基部縁が浴槽４の頭部縁下方に入り込み、オーバーフロー部４１６からの溢水が、他に漏れることなく枕槽５に流出する形状に形成してなる。更に浴槽側に近い両側部分に載置凹部５２を形成すると共に、別に前記載置凹部５２間に差し渡して入浴者の枕となる枕板５３を形成してなる。
【００３５】
支持機構部６は、前記浴槽４を支持する台車形状で、適宜な車輪６１よる移動機構を備えると共に、且つ浴槽４全体を上下させる適宜な上下位置調整機構部（図示せず）を設けてなる。
【００３６】
また本発明の介護用浴槽システムは、前記の浴槽装置と組み合わせて構成されるもので、建物内の居室（非介護者の居室：非介護者のベッド設置室や、入浴介護を実施する室）に給排水ボックス７を設置し、前記給排水ボックス７に、ボイラー等の温水供給機構と連結した温水供給部７１と、水道と連結した冷水供給部７２と、屋外下水と連結した排水部７３を配置し、前記各部端には着脱可能で、且つ開閉弁を備えた着脱式連結開閉弁機構を設けてなる。
【００３７】
勿論浴槽装置側にも、前記給排水ボックス７の各管端と連結可能とした給湯管７４、給水管７５、排水管７６を備えてなる。
【００３８】
而して前記浴槽装置は、第一実施形態と同様に、被介護者が寝ている介護ベッドのそば（給排水ボックス７を備えた居室）に移動させ、或いは浴槽装置と給排水ボックス７を備えた入浴室に介護ベッドを移動させて被介護者の入浴を行うものである。
【００３９】
被介護者Ａの入浴の前に、予め細長台板４２を所定位置に取り付け、被介護者の身体の大きさに合わせて、足当板４３と股支持体４４を適宜な位置に装着固定し、更に枕槽５を起立状態で固定する。また枕板５３を載置凹部５２間に差し渡しておく。
【００４０】
そして、給排水ボックス７の各部に給湯管７４、給水管７５、排水管７６を連結し、選択切替弁４７５、開閉弁４７７を開放し、更に温度調整弁４７６，４７８を使用して温度調整を行い、適温の浴湯を浴槽本体４１内に満たし、被介護者の入浴を行うものである。ベッドからの移動に際しては横堤体４１５を外し、被介護者が浴槽内に横たわった後に横堤体４１５を取り付ける。また被介護者は、枕板５３上に頭部を載せて横たわるものである。
【００４１】
浴槽内に横たわった被介護者に対して、第一シャワー４７２及び第二シャワー４７３を使用して身体被介護者の身体を清浄にするもので、特に被介護者の身体が安定し、且つシャワーを複数備えることで、介助人の作業が容易になる。
【００４２】
更に枕槽５の枕板５３を外すと、被介護人は頸部を凹部４１７に載置し、頭髪部分が枕槽５内に位置することになるので、その状態で洗髪を行うと作業が容易である。
【００４３】
また浴槽１内の浴湯は、被介護者の肩部分を流れてオーバーフロー部４１６から枕槽５に流れ込み排水されるので、浴槽が浅くとも常に被介護者は浴湯に浸かっていることになり、気持ちよく入浴できる。
【００４４】
また本発明の浴槽システムを採用することで、浴槽装置を移動するのみで入浴可能となり、特に入浴介助が必要な被介護人を多数有する養護ホーム等においては、介助人の負担が著しく軽減されるものである。
【００４５】
【発明の効果】
以上のように本発明は、浴槽頭部側に洗髪用凹部を設けた枕槽を備えてなる浴槽装置で、身体洗浄とは別に洗髪が可能となり、介助人の入浴作業を能率的にしたものである。
【図面の簡単な説明】
【図１】本願発明の第一実施形態の使用状態の説明図（ベッドからの移行）。
【図２】同平面図。
【図３】同側面図（断面図）。
【図４】同第二実施形態の平面図
【図５】同側面図（断面図）。
【図６】同横断面図（仕切部の説明図）。
【図７】同第三実施形態の全体斜視図（非使用時）。
【図８】同分解斜視図（非使用時）。
【図９】同使用状態の一部斜視図。
【図１０】同使用状態の一部斜視図（洗髪作業時）。
【符号の説明】
１，１ａ       浴槽
１１，１１ａ   足当て機構部
１１１，１１４ 足当て板
１１２         操作部
１１３         嵌合縦溝
１２，１２ａ   仕切部
１２１         装着溝
１２２         嵌合縦溝
１２３         仕切板
１２４         嵌合凹凸面
１３           フランジ部
１４           手すり
１５           排水部
２，２ａ       枕槽
２１           軸
２２           操作機構
２３           排水部
３，３ａ       支持機構部
３１           車輪
４             浴槽
４１           浴槽本体
４１１         排水用凹底部
４１２         嵌合凹溝
４１３         肘掛け台部
４１４         受け部
４１５         横堤体
４１６         オーバーフロー部
４１７         凹部
４２           細長台板
４２１，４２２ 連結穴部
４３           足当板
４３１         突部
４４           股支持体
４４１         突部
４５           台板
４６           持ち手
４７           給排水部
４７１         湯出口
４７２         第一シャワー
４７３         第二シャワー
４７４         排水口
４７５         選択切替弁
４７６，４７８ 温度調整弁
４７７         開閉弁
５             枕槽
５１           排水口
５２           載置凹部
５３           枕板
６             支持機構部
７             給排水ボックス
７１           温水供給部
７２           冷水供給部
７３           排水部
７４           給湯管
７５           給水管
７６           排水管
【図１】
0003741988.tif 000002
【図２】
0003741988.tif 000003
【図３】
0003741988.tif 000004
【図４】
0003741988.tif 000005
【図５】
0003741988.tif 000006
【図６】
0003741988.tif 000007
【図７】
0003741988.tif 000008
【図８】
0003741988.tif 000009
【図９】
0003741988.tif 000010
【図１０】
0003741988.tif 000011